(57)【特許請求の範囲】
【請求項１】
画像を表示可能な表示部と、
制御部と、
機能選択画面、機能項目一覧画面および機能項目設定画面を記憶する記憶部と、
を備え、  
前記機能選択画面は、複数の機能の中から１つの機能を選択させるための画面であり、
前記機能項目一覧画面は、前記機能選択画面の１つ下の階層に位置づけられている、前記複数の機能毎の個別の画面であって、前記機能選択画面で選択された１つの機能に関連する複数の機能項目の中から１つの機能項目を選択させるための画面であり、
前記機能項目設定画面は、前記機能項目一覧画面の１つ下の階層に位置づけられている、前記複数の機能項目毎の個別の画面であって、それぞれ、対応する機能項目が前記機能項目一覧画面で選択されると表示され、対応する機能項目の設定内容が少なくとも含まれる画面であり、
前記制御部は、
前記機能選択画面で前記複数の機能の中から１つの機能が選択された場合に前記表示部に表示させる第１階層の画面として、その選択された１つの機能に対応した前記機能項目一覧画面及びその機能項目一覧画面における前記複数の機能項目毎の前記機能項目設定画面、のうちの１つを設定する第１階層設定処理と、
前記機能選択画面を前記記憶部から読みだして前記表示部に表示させる機能表示処理と、
前記表示部に表示された前記機能選択画面から前記複数の機能のうち１つの機能を選択する操作を受け付ける機能選択処理と、
前記機能選択処理により、前記複数の機能のうち１つの機能が選択された場合に、その選択された１つの機能に対応した前記第１階層の画面として設定されている画面を前記記憶部から読みだして前記表示部に表示させる第１の表示処理と、
を実行することを特徴とする表示制御装置。
【請求項２】
請求項１に記載の表示制御装置であって、
前記機能項目設定画面は、対応する前記機能項目の処理を実行させるための機能実行指示画像を含み、
前記制御部は、
前記表示部に表示されている前記機能項目設定画面に含まれている前記機能実行指示画像の選択操作を受け付ける実行選択処理と、
前記実行選択処理により前記機能実行指示画像が選択された場合に、対応する前記機能項目の処理を実行する機能実行処理と、
を実行することを特徴とする表示制御装置。
【請求項３】
請求項１又は請求項２に記載の表示制御装置であって、
前記記憶部には、前記第１階層の画面として前記機能項目一覧画面及び前記機能項目設定画面のうちどちらを表示させるかを選択させるための第１階層選択画面が記憶され、
前記制御部は、前記第１階層選択画面を前記記憶部から読み出して前記表示部に表示させる選択表示処理と、
前記表示部に表示された前記第１階層選択画面から前記機能項目一覧画面及び前記機能項目設定画面のうち何れか１つを選択するための入力操作を受け付ける第１階層入力処理と、
を実行し、
前記第１階層設定処理では、前記機能項目一覧画面及び前記機能項目設定画面のうち前記第１階層入力処理により選択された画面を、前記第１階層の画面として設定する
ことを特徴とする表示制御装置。
【請求項４】
請求項３に記載の表示制御装置であって、
前記第１階層選択画面には、前記機能項目一覧画面に関連した第１の選択用画像と、前記複数の機能項目毎の、その機能項目に関連した複数の第２の選択用画像と、が含まれ、
前記制御部は、
前記第１階層入力処理では、前記第１の選択用画像及び前記複数の第２の選択用画像のうち何れか１つを選択するための選択操作を受け付け、
前記第１階層設定処理では、前記機能項目一覧画面及び前記機能項目設定画面のうち前記第１階層入力処理により選択された選択用画像に対応した画面を、前記第１階層の画面として設定する
ことを特徴とする表示制御装置。
【請求項５】
請求項３又は請求項４に記載の表示制御装置であって、
前記記憶部には、複数種類の設定メニュー画像を含んだメニュー一覧画面が記憶され、
前記機能選択画面は、前記メニュー一覧画面を前記表示部に表示させるためのメニュー設定画像を含み、
前記制御部は、
前記機能選択画面に表示されている前記メニュー設定画像の選択操作を受け付ける設定画像選択処理と、
前記設定画像選択処理により前記メニュー設定画像が選択された場合に、前記メニュー一覧画面を前記記憶部から読み出して前記表示部に表示させるメニュー一覧表示処理と、
前記表示部に表示された前記メニュー一覧画面から前記複数種類の設定メニューのうち何れか１つの選択操作を受け付ける設定メニュー選択処理と、
を実行し、
前記メニュー一覧画面には、前記設定メニューとして、前記第１階層の画面の選択を受け付けるための第１階層設定メニューが含まれ、
前記制御部は、前記設定メニュー選択処理によって前記第１階層設定メニューが選択された場合、前記選択表示処理を実行する
ことを特徴とする表示制御装置。
【請求項６】
請求項１〜請求項５の何れか１項に記載の表示制御装置であって、
前記制御部は、
前記第１の表示処理によって前記機能項目一覧画面が表示されている場合に、その機能項目一覧画面から前記複数の機能項目のうち何れか１つの選択操作を受け付ける機能項目選択処理と、
前記機能項目選択処理により前記複数の機能項目のうち１つの機能項目が選択された場合に、その選択された機能項目に対応した前記機能項目設定画面を前記記憶部から読み出して、前記機能項目一覧画面の１つ下の階層である第２階層の画面として前記表示部に表示させる第２の表示処理と、
を実行することを特徴とする表示制御装置。
【請求項７】
請求項１〜請求項５の何れか１項に記載の表示制御装置であって、
前記機能項目設定画面は、前記表示部に表示させる画面を前記機能項目一覧画面に切り替えるための一覧切替画像を含み、
前記制御部は、
前記第１の表示処理によって前記機能項目設定画面が表示されている場合に、その機能項目設定画面に表示されている前記一覧切替画像の選択操作を受け付ける一覧切替選択処理と、
前記一覧切替選択処理により前記一覧切替画像が選択された場合に、前記機能項目設定画面の１つ下の階層の第２階層の画面である前記機能項目一覧画面を前記記憶部から読み出して前記表示部に表示させる第２の表示処理と、
前記第２の表示処理により前記機能項目一覧画面が表示された場合に、その機能項目一覧画面から前記複数の機能項目のうち何れか１つの選択操作を受け付ける機能項目選択処理と、
前記機能項目選択処理により前記複数の機能項目のうち１つの機能項目が選択された場合に、その選択された機能項目に関連した前記機能項目設定画面を前記記憶部から読み出して前記表示部に表示させる第３の表示処理と、
を実行することを特徴とする表示制御装置。
【請求項８】
請求項７に記載の表示制御装置であって、
前記制御部は、
前記表示部に表示させる画面を、現在の画面から、現在の画面の階層よりも１つ上の階層の画面に戻すための画面戻し操作を受け付ける戻し操作受付処理と、
前記戻し操作受付処理により前記画面戻し操作が受け付けられた場合に、前記表示部に表示させる画面を、現在の画面から、現在の画面の階層よりも１つ上の階層の画面に戻す画面戻し処理と、
を実行し、
前記第３の表示処理によって前記機能項目設定画面が表示されている場合に前記戻し操作受付処理により前記画面戻し操作が受け付けられた場合は、前記画面戻し処理では、前記表示部に表示されている前記機能項目設定画面の１つ上の階層の画面である前記機能選択画面を前記記憶部から読み出して前記表示部に表示する
ことを特徴とする表示制御装置。
【請求項９】
請求項１〜請求項８の何れか１項に記載の表示制御装置であって、
画像を読み取り可能な画像読取部と、
被記録媒体に画像を形成可能な画像形成部と、
を備え、
前記複数の機能として、少なくとも、前記画像読取部により画像を読み取らせてその読み取らせた画像のデータを生成する画像読取機能、及び前記画像形成部により画像を形成させる画像形成機能を有する
ことを特徴とする表示制御装置。
【請求項１０】
表示制御装置において用いられる表示制御方法であって、
前記表示制御装置は、
画像を表示可能な表示部と、
機能選択画面、機能項目一覧画面および機能項目設定画面を記憶する記憶部と、
を備え、  
前記機能選択画面は、複数の機能の中から１つの機能を選択させるための画面であり、
前記機能項目一覧画面は、前記機能選択画面の１つ下の階層に位置づけられている、前記複数の機能毎の個別の画面であって、前記機能選択画面で選択された１つの機能に関連する複数の機能項目の中から１つの機能項目を選択させるための画面であり、
前記機能項目設定画面は、前記機能項目一覧画面の１つ下の階層に位置づけられている、前記複数の機能項目毎の個別の画面であって、それぞれ、対応する機能項目が前記機能項目一覧画面で選択されると表示され、対応する機能項目の設定内容が少なくとも含まれる画面であり、
前記表示制御方法は、
前記機能選択画面で前記複数の機能の中から１つの機能が選択された場合に前記表示部に表示させる画面として、その選択された１つの機能に対応した前記機能項目一覧画面及びその機能項目一覧画面における前記複数の機能項目毎の前記機能項目設定画面、のうちの１つを設定する画面設定手順と、
前記機能選択画面を前記記憶部から読みだして前記表示部に表示させる機能表示手順と、
前記表示部に表示された前記機能選択画面から前記複数の機能のうち１つの機能を選択する操作を受け付ける機能選択手順と、
前記機能選択手順により、前記複数の機能のうち１つの機能が選択された場合に、その選択された１つの機能に対して前記画面設定手順により設定されている画面を前記記憶部から読みだして前記表示部に表示させる設定画面表示手順と、
を有することを特徴とする表示制御方法。
【請求項１１】
プログラムに従った処理を実行可能な制御部を備えた表示制御装置における、前記制御部に実行させるための表示制御プログラムが記憶された、前記制御部が読み取り可能な記憶媒体であって、
前記表示制御装置は、さらに、
画像を表示可能な表示部と、
機能選択画面、機能項目一覧画面および機能項目設定画面を記憶する記憶部と、
を備え、  
前記機能選択画面は、複数の機能の中から１つの機能を選択させるための画面であり、
前記機能項目一覧画面は、前記機能選択画面の１つ下の階層に位置づけられている、前記複数の機能毎の個別の画面であって、前記機能選択画面で選択された１つの機能に関連する複数の機能項目の中から１つの機能項目を選択させるための画面であり、
前記機能項目設定画面は、前記機能項目一覧画面の１つ下の階層に位置づけられている、前記複数の機能項目毎の個別の画面であって、それぞれ、対応する機能項目が前記機能項目一覧画面で選択されると表示され、対応する機能項目の設定内容が少なくとも含まれる画面であり、
前記表示制御プログラムは、前記制御部に、
前記機能選択画面で前記複数の機能の中から１つの機能が選択された場合に前記表示部に表示させる第１階層の画面として、その選択された１つの機能に対応した前記機能項目一覧画面及びその機能項目一覧画面における前記複数の機能項目毎の前記機能項目設定画面、のうちの１つを設定する第１階層設定処理と、
前記機能選択画面を前記記憶部から読みだして前記表示部に表示させる機能表示処理と、
前記表示部に表示された前記機能選択画面から前記複数の機能のうち１つの機能を選択する操作を受け付ける機能選択処理と、
前記機能選択処理により、前記複数の機能のうち１つの機能が選択された場合に、その選択された１つの機能に対応した前記第１階層の画面として設定されている画面を前記記憶部から読みだして前記表示部に表示させる第１階層表示処理と、
を実行させるためのプログラムであることを特徴とする記憶媒体。
【発明の詳細な説明】
【技術分野】
【０００１】
本発明は、複数種類の画面の何れかを表示部に表示させるための表示制御装置、表示制御方法、及びその方法を実現するためのプログラムが記憶された記憶媒体に関する。
【背景技術】
【０００２】
印刷機能や読取機能などの複数の機能を備えた複合機においては、一般に、待機画面から、利用したい機能を選択することができる。待機画面から機能を選択すると、その選択した機能に対応した複数のサブ機能が一覧表示される。例えば印刷機能の場合、そのサブ機能としては、一枚の用紙の同一面に複数ページを集約して印刷させる集約機能、一枚の用紙の両面に印刷させる両面印刷機能、などがある。
【０００３】
サブ機能が一覧表示されている画面から、特定のサブ機能を選択すると、その選択したサブ機能の設定状態を示す詳細設定画面が表示される。ユーザは、その詳細設定画面によって、選択したサブ機能の詳細な設定状態を確認することができる（例えば、特許文献１参照。）。
【先行技術文献】
【特許文献】
【０００４】
【特許文献１】特開２００９−９８９６６号公報
【発明の概要】
【発明が解決しようとする課題】
【０００５】
ユーザによっては、使用する頻度の高いサブ機能はだいたい決まっている場合がある。例えば、印刷機能の利用時には基本的に両面印刷機能を利用する、というユーザがいるとする。このようなユーザにとって、待機画面で印刷機能を選択する度に、逐一、サブ機能の一覧画面から両面印刷機能を選択する操作をしなくてはならないのは、面倒であり、使い勝手が良いとは言えない。
【０００６】
本発明は上記課題に鑑みなされたものであり、機能選択用の画面で機能が選択された場合に、ユーザの利用傾向に応じた適切な画面に遷移させることにより、ユーザの使い勝手の向上を図ることを目的とする。
【課題を解決するための手段】
【０００７】
上記課題を解決するためになされた本発明の表示制御装置は、画像を表示可能な表示部と、制御部と、記憶部とを備える。記憶部は、機能選択画面、機能項目一覧画面、及び機能項目設定画面を記憶する。機能選択画面は、複数の機能の中から１つの機能を選択させるための画面である。機能項目一覧画面は、機能選択画面で選択された１つの機能に関連する複数の機能項目の中から１つの機能項目を選択させるための画面である。機能項目設定画面は、複数の機能項目毎に個別に用意されている画面であって、対応する機能項目の設定内容が少なくとも含まれる画面である。
【０００８】
そして、制御部は、第１階層設定処理と、機能表示処理と、機能選択処理と、第１の表示処理とを実行する。第１階層設定処理は、機能選択画面で１つの機能が選択された場合に表示部に表示させる第１階層の画面として、機能項目一覧画面及び機能項目設定画面のうちいずれか一方を設定する処理である。機能表示処理は、機能選択画面を記憶部から読みだして表示部に表示させる処理である。機能選択処理は、表示部に表示された機能選択画面から複数の機能のうち１つの機能を選択する操作を受け付ける処理である。第１の表示処理は、機能選択処理により、複数の機能のうち１つの機能が選択された場合に、機能項目一覧画面及び機能項目設定画面のうち第１階層設定処理により第１階層の画面として設定されている画面を記憶部から読みだして表示部に表示させる処理である。
【０００９】
このように構成された表示制御装置では、機能選択画面から１つの機能が選択された場合に表示させるべき１つ下の階層（第１階層）の画面として、機能項目一覧画面及び機能項目設定画面の何れかを予め設定可能である。そして、機能選択画面から１つの機能が選択された場合は、機能項目一覧画面及び機能項目設定画面のうち第１階層の画面として設定されている何れか一方の画面が記憶部から読み出されて表示される。
【００１０】
したがって、機能選択画面で１つの機能が選択された場合に、ユーザの利用傾向に応じた適切な画面に遷移させることができ、ユーザの使い勝手の向上が実現される。
なお、本発明は、前述した表示制御装置の他、この表示制御装置において用いられている各種の方法（表示部への各種画像表示を制御する方法）、この表示制御装置を構成要素とする各種システム、この表示制御装置の制御部が実行可能な各処理をコンピュータに実行させるためのプログラム、このプログラムが記憶された記憶媒体など、種々の形態で実現することができる。
【図面の簡単な説明】
【００１１】
【図１】実施形態の画像処理システムの概略構成を示すブロック図である。
【図２】機能ホーム画面設定時の画面遷移例を示す説明図である。
【図３】コピーホーム画面がコピーサブ機能一覧画面に設定されている場合の画面遷移例を示す説明図である。
【図４】コピーホーム画面が特定のサブ機能の設定画面（例えば標準コピー設定画面）に設定されている場合の画面遷移例を示す説明図である。
【図５】スキャンホーム画面がスキャンサブ機能一覧画面に設定されている場合の画面遷移例を示す説明図である。
【図６】スキャンホーム画面が特定のサブ機能の設定画面（例えばスキャンｔｏファイル設定画面）に設定されている場合の画面遷移例を示す説明図である。
【図７】機能ホーム画面がサブ機能一覧画面に設定されている場合におけるバックキー押下時の画面遷移例を示す説明図である。
【図８】機能ホーム画面が特定のサブ機能の設定画面に設定されている場合におけるバックキー押下時の画面遷移例を示す説明図である。
【図９】機能ホーム画面設定処理のフローチャートである。
【図１０】機能実行処理の一部のフローチャートである。
【図１１】機能実行処理の一部（図１０の続き）のフローチャートである。
【発明を実施するための形態】
【００１２】
以下、本発明が適用された実施形態について、図面を用いて説明する。
（１）画像処理システムの構成
本実施形態の画像処理システム１は、図１に示すように、複合機１０とＰＣ（Personal Computer の略）３０とを備えている。複合機１０とＰＣ３０は、ＬＡＮ（Local Area Networkの略）２００を通じて相互にデータ通信可能である。
【００１３】
複合機１０は、各種画像を印刷する印刷機能、原稿の画像を読み取るスキャン機能、スキャン機能により読み取らせた画像を印刷出力するコピー機能、ファクシミリデータを送受信するファクス機能などの、複数のメイン機能を備えている。
【００１４】
複合機１０は、ＣＰＵ１１、ＲＯＭ１２、ＲＡＭ１３、ＮＶＲＡＭ１４、画像読取部１５、印刷部１６、操作部１７、表示部１８、ネットワークインタフェース部（以下「ネットワークＩ／Ｆ」と称す）１９、ＵＳＢインタフェース部（以下「ＵＳＢＩ／Ｆ」と称す）２０、及び回線接続部２１を備えている。
【００１５】
ＣＰＵ１１は、ＲＯＭ１２やＮＶＲＡＭ１４などに記憶されている各種プログラムに従って複合機１０内の各部の制御および各種演算を実行する。ＲＡＭ１３は、ＣＰＵ１１から直接アクセスされるメインメモリとして利用される。ＮＶＲＡＭ１４は、電気的に書き換え可能な不揮発性メモリである。ＮＶＲＡＭ１４には、複合機１０に関する各種設定情報が記憶されている。後述する図９，図１０の各処理のプログラムは、ＲＯＭ１２又はＮＶＲＡＭ１４に記憶されている。また、後述する各種画面のデータも、ＲＯＭ１２又はＮＶＲＡＭ１４に記憶されている。そのため、後述する各種画面の表示は、表示対象の画面のデータをＣＰＵ１１がＲＯＭ１２又はＮＶＲＡＭ１４から読み出して表示させることにより実現される。
【００１６】
画像読取部１５は、スキャン機能、及びコピー機能の一部（原稿の読み取り）を実現するための構成要素である。画像読取部１５は、イメージセンサを備え、原稿の画像を読み取ってその画像を表す画像データを生成する。
【００１７】
印刷部１６は、印刷機能、及びコピー機能の一部（読み取った原稿の画像の印刷）を実現するための構成要素である。印刷部１６は、画像読取部１５で読み取られた画像データを含む各種画像データを各種の印刷用の媒体（以下「記録紙」という）に印刷する機能を有する。
【００１８】
表示部１８は、情報を表示可能な表示デバイスとしてディスプレイ（例えば液晶ディスプレイ）２３を有する。
操作部１７は、ユーザによる入力操作を受け付ける入力装置である。操作部１７は、バックキー２２を含む各種操作ボタンや、タッチパネル２３などの、各種の入力手段を有する。バックキー２２を押下することで、ディスプレイ２４に表示させる画面を、現在表示されている画面よりも前に表示されていた画面（詳しくは現在表示されている画面の階層よりも１つ上の階層の画面）に戻すことができる。タッチパネル２３は、ディスプレイ２４の表示領域に重畳配置されている。
【００１９】
ネットワークＩ／Ｆ１９は、複合機１０をＬＡＮ２００に接続するための通信インタフェースである。ＵＳＢＩ／Ｆ２０は、周知のＵＳＢ（Universal Serial Busの略）規格にてデータ通信を行うためのインタフェースである。回線接続部２１は、通信回線（本実施形態では電話回線）を通じて外部機器とデータ通信を行うためのインタフェースである。ファクス機能におけるファクシミリデータの送受信は、この回線接続部２１を介して行われる。
【００２０】
ＰＣ３０は、ＣＰＵ３１、ＲＯＭ３２、ＲＡＭ３３、ハードディスクドライブ（以下「ＨＤＤ」と称す）３４、操作部３５、表示部３６、及びネットワークＩ／Ｆ３７を備えている。
【００２１】
ＣＰＵ３１は、ＲＯＭ３２やＨＤＤ３４に記憶されている各種プログラムを実行することによってＰＣ３０の各部や外部機器（複合機１０を含む）を制御する。ＲＯＭ３２には、ＣＰＵ３１によって実行される各種プログラムやデータ等が記憶されている。ＲＡＭ３３は、ＣＰＵ３１が各種処理を実行するための主記憶装置として用いられる。ＨＤＤ３４には、ＯＳ（Operating Systemの略）や各種デバイスドライバ、各種アプリケーションソフトなどがインストールされている。操作部３５は、キーボードや各種ポインティングデバイスなどを有する。表示部３６は、液晶ディスプレイや有機ＥＬディスプレイなどの各種の表示デバイスを有する。ネットワークＩ／Ｆ３７は、ＰＣ３０をＬＡＮ２００に接続するための通信インタフェースである。
【００２２】
ＬＡＮ２００には、ＦＴＰサーバ４００が接続されている。また、ＬＡＮ２００は、インターネット３００に接続されている。インターネット３００には、サーバ３１０を含む複数の情報処理装置が接続されている。複合機１０、ＰＣ３０、及びＦＴＰサーバ４００は、ＬＡＮ２００を通じて相互にデータ通信可能である。また、複合機１０、ＰＣ３０、及びＦＴＰサーバ４００は、インターネット３００に接続されている各種の情報処理装置とデータ通信可能である。
【００２３】
（２）複合機１０の機能
複合機１０は、既述の通り、スキャン機能、コピー機能、ファクシミリ機能などの複数のメイン機能を備えている。
【００２４】
（２−１）スキャン機能のサブ機能
各メイン機能のうち、スキャン機能については、さらに、読み取った画像のデータの処理方法に応じて複数のサブ機能に細分化することができる。具体的には、例えば、スキャンｔｏＯＣＲ、スキャンｔｏファイル、スキャンｔｏＦＴＰ、スキャンｔｏメディア、スキャンｔｏネットワークなどの複数のサブ機能に細分化できる。
【００２５】
スキャンｔｏＯＣＲは、スキャンした画像をテキストデータに変換して、複合機１０に接続されているＰＣ（例えばＰＣ３０）へ送信し、そのＰＣの指定のフォルダに保存させる機能である。
【００２６】
スキャンｔｏファイルは、スキャンした画像のデータ（以下「スキャンデータ」という）を、複合機１０に接続されているＰＣに送信し、そのＰＣの指定のフォルダに保存させる機能である。
【００２７】
スキャンｔｏＦＴＰは、スキャンデータを、予め指定したＦＴＰサーバ（例えばＦＴＰサーバ４００）に送信して保存させる機能である。
スキャンｔｏネットワークは、スキャンデータをインターネット３００に接続された各種のＰＣやサーバへ送信して保存させる機能である。
【００２８】
スキャンｔｏメディアは、スキャンデータを、メモリカードやＵＳＢメモリなどの各種の記憶メディアに保存させる機能である。このスキャンｔｏメディアの機能により、ＵＳＢＩ／Ｆ２０に接続されているＵＳＢメモリにスキャンデータを保存させることができる。
【００２９】
（２−２）コピー機能のサブ機能
各メイン機能のうち、コピー機能についても、さらに、コピーの方法に応じて複数のサブ機能に細分化することができる。具体的には、例えば、標準コピー、片面→両面コピー、ＩＤコピー、２ｉｎ１コピー、インク節約コピーなどの複数のサブ機能に細分化できる。
【００３０】
標準コピーは、例えば、１枚の原稿の画像を拡大、縮小、高画質化、インク節約などといった特定の設定を行うことなく１枚の記録紙にコピーするような、標準的な設定内容に基づく標準的なコピーである。標準コピーにおける各種設定項目の設定値は製品出荷時に予め設定されている。ただし、その設定値は任意に変更することができる。
【００３１】
片面→両面コピーは、２ページ分の原稿の画像を１枚の記録紙の両面にコピーする機能である。
ＩＤコピーは、カードサイズの原稿の両面の画像を、１枚の記録紙における同じ面に割り付けてコピーする機能である。
【００３２】
２ｉｎ１コピーは、２ページ分の原稿の画像を１枚の記録紙における同じ面に割り付けてコピーする機能である。
インク節約コピーは、文字や画像などの内側を薄く印刷することによってインクの消費量を抑える機能である。
【００３３】
なお、コピー機能における上記各サブ機能は、より詳しくは、いわゆるプリセットコピー機能である。プリセットコピー機能とは、公知の通り、異なる複数種類の特定のコピー機能をそれぞれ効率的に実行できるようにするための機能である。即ち、特定のコピー毎の設定情報が、プリセットコピーとして予め登録されており、何れかのプリセットコピーを選択することで、その選択したプリセットコピーに対応したコピーを実行させることが可能である。登録されているプリセットコピーの設定情報は、任意に変更することが可能である。そのため、設定変更を行うことで、結果的に、設定情報を、別のプリセットコピーの設定情報と同じ内容にすることもできる。
【００３４】
（３）画面遷移の説明
（３−１）画面遷移の概要
複合機１０が起動し、各種の初期処理が終了すると、複合機１０のディスプレイ２４には、図２に示すような待機画面２が表示される。
【００３５】
待機画面２には、複数のメイン機能ボタン３，４，５が表示される。具体的に、図２では、ファクスボタン３と、コピーボタン４と、スキャンボタン５とが表示されている。ディスプレイ２４に表示させるメイン機能ボタンの種類は、タッチパネル２３に対する特定の操作（例えば左右方向のフリック操作）によって切り替えることができる。ユーザは、何れかのメイン機能ボタンを押下（具体的にはタッチパネル２３に対するタップ操作）することで、複合機１０の動作状態を、対応するメイン機能を実行させるための次のステップに進めることができる。
【００３６】
また、待機画面２には、メニューボタン６が表示される。メニューボタン６が押下されると、図２に示すように、複合機１０の各種設定を行うための設定一覧画面４０が表示される。
【００３７】
待機画面２において、何れかのメイン機能ボタンを押下すると、そのメイン機能ボタンに対応したメイン機能における下位階層の機能ホーム画面に遷移する。なお、以下の説明では、待機画面２において何れかのボタンが押下されることによって遷移する次の画面を、第１階層とする。さらに、その第１階層の画面において何れかのボタンが押下されることにより遷移する次の画面を、第２階層とする。
【００３８】
本実施形態の複合機１０は、何れかのメイン機能ボタンを押下したときに遷移する第１階層の機能ホーム画面として、デフォルトでは、対応するメイン機能における各サブ機能が一覧表示されたサブ機能一覧画面が表示される。そして、そのサブ機能一覧画面の中から、実行させたいサブ機能を選択すると、第２階層の画面として、そのサブ機能の設定画面に遷移する。
【００３９】
ただし、本実施形態では、第１階層の機能ホーム画面として、サブ機能一覧画面ではなく、特定のサブ機能の設定画面を表示させることができる。具体的に、ユーザは、待機画面２において何れかのメイン機能ボタンを押下したときに機能ホーム画面として対応するメイン機能におけるサブ機能一覧画面に遷移させるのか、それとも対応するメイン機能における特定のサブ機能の設定画面に遷移させるのかを選択することができる。そして、あるメイン機能ボタンに対する機能ホーム画面としてそのメイン機能における特定のサブ機能の設定画面を選択しておくことで、そのメイン機能ボタンを押下した場合にすぐにその特定のサブ機能の設定画面に遷移させることができる。
【００４０】
メイン機能ボタン押下に対する第１階層の機能ホーム画面の設定、及びその設定内容に基づく画面遷移例を、図２〜図６を用いて説明する。
（３−２）機能ホーム画面（第１階層）の画面の設定方法
まず、メイン機能ボタン押下に対する第１階層の機能ホーム画面の設定方法について、図２を用いて説明する。待機画面２においてメニューボタン６を押下すると、設定一覧画面４０が表示される。設定一覧画面４０には、トナーに関する設定、ネットワークに関する設定などの各種設定項目毎のボタンが配列されており、その中に、初期画面設定ボタン４２がある。この初期画面設定ボタン４２を押下すると、設定対象選択画面４５が表示される。
【００４１】
なお、設定一覧画面４０には、全般ボタン４１が表示されており、この全般ボタン４１を押下後、いくつかの手順及び画面遷移を経ることによっても、設定対象選択画面４５に遷移させることもできる。
【００４２】
設定対象選択画面４５は、複数のメイン機能のうちどのメイン機能を対象として第１階層の機能ホーム画面を設定するのかを選択させるための画面である。設定対象選択画面４５には、コピー設定ボタン４６と、スキャン設定ボタン４７とが表示される。なお、設定対象選択画面４５には、実際には、コピー機能及びスキャン機能以外の他のメイン機能に対応した設定ボタンも表示されるが、本実施形態では、コピー機能及びスキャン機能以外の他のメイン機能についての説明は省略する。
【００４３】
設定対象選択画面４５において、コピー設定ボタン４６を押下すると、コピー機能に対する第１階層の機能ホーム画面（以下「コピーホーム画面」ともいう）を選択させるためのコピーホーム選択画面５０が表示される。
【００４４】
コピーホーム選択画面５０には、コピーサブ機能一覧ボタン５１、標準コピーボタン５２、片面→両面コピーボタン５３、ＩＤコピーボタン５４、などの複数のボタンが表示される。
【００４５】
コピーサブ機能一覧ボタン５１を押下することで、コピーホーム画面として、コピーサブ機能一覧画面７０（図３参照）に設定することができる。
コピーサブ機能一覧ボタン５１以外の他のボタンは、それぞれ、特定のサブ機能に対応したボタンであって、コピーホーム画面をそのサブ機能の設定画面に設定するためのボタンである。例えば、標準コピーボタン５２を押下することで、コピーホーム画面として、サブ機能の１つである標準コピーに関する各種設定状態の確認や設定変更などを行うことが可能な標準コピー設定画面７６（図３参照）に設定することができる。また例えば、ＩＤコピーボタン５４を押下することで、コピーホーム画面として、サブ機能の１つであるＩＤコピーに対応したＩＤコピー設定画面（不図示）に設定することができる。
【００４６】
このように、コピーホーム選択画面５０において、コピーホーム画面に設定したい画面に対応した何れかのボタンを押下することで、コピーホーム画面をそのボタンに対応した画面（サブ機能一覧画面７０又は何れかのサブ機能の設定画面）に設定することができる。これにより、待機画面２においてコピーボタン４を押下した場合に、第１階層としてその設定したコピーホーム画面を表示させることができる。
【００４７】
なお、コピーホーム画面として、コピーサブ機能一覧画面７０ではなく何れかのサブ機能の設定画面が設定された場合は、設定されたサブ機能の設定画面のみが第１階層として設定されるだけでなく、コピー機能における全てのサブ機能の設定画面が一律に第１階層として位置づけられる。即ち、例えば標準コピーボタン５２を押下することによってコピーホーム画面を標準コピー設定画面７６に設定するということは、必然的に、コピー機能における全てのサブ機能の設定画面をコピー機能の第１階層の画面として位置づけることを意味する。
【００４８】
一方、設定対象選択画面４５において、スキャン設定ボタン４７を押下すると、スキャン機能に対する第１階層の機能ホーム画面（以下「スキャンホーム画面」ともいう）を選択させるためのスキャンホーム選択画面６０が表示される。
【００４９】
スキャンホーム選択画面６０には、スキャンサブ機能一覧ボタン６１、ＯＣＲボタン６２、ファイルボタン６３、メディアボタン６４、などの複数のボタンが表示される。
スキャンサブ機能一覧ボタン６１を押下することで、スキャンホーム画面として、スキャンサブ機能一覧画面９０（図５参照）に設定することができる。
【００５０】
スキャンサブ機能一覧ボタン６１以外の他のボタンは、それぞれ、特定のサブ機能に対応したボタンであって、スキャンホーム画面をそのサブ機能の設定画面に設定するためのボタンである。例えば、ファイルボタン６３を押下することで、スキャンホーム画面として、サブ機能の１つであるスキャンｔｏファイルに関する各種設定状態の確認や設定変更などを行うことが可能なスキャンｔｏファイル設定画面９６（図５参照）に設定することができる。また例えば、メディアボタン６４を押下することで、スキャンホーム画面として、サブ機能の１つであるスキャンｔｏメディアに対応したスキャンｔｏメディア設定画面（不図示）に設定することができる。
【００５１】
このように、スキャンホーム選択画面６０において、スキャンホーム画面に設定したい画面に対応した何れかのボタンを押下することで、スキャンホーム画面をそのボタンに対応した画面（サブ機能一覧画面９０又は何れかのサブ機能の設定画面）に設定することができる。これにより、待機画面２においてスキャンボタン５を押下した場合に、第１階層の画面としてその設定したスキャンホーム画面を表示させることができる。
【００５２】
なお、スキャンホーム画面として、スキャンサブ機能一覧画面９０ではなく何れかのサブ機能の設定画面が設定された場合は、設定されたサブ機能の設定画面のみが第１階層として設定されるだけでなく、スキャン機能における全てのサブ機能の設定画面が一律に第１階層として位置づけられる。即ち、例えばスキャンｔｏファイルボタン６３を押下することによってスキャンホーム画面をスキャンｔｏファイル設定画面９６に設定するということは、必然的に、スキャン機能における全てのサブ機能の設定画面をスキャン機能の第１階層の画面として位置づけることを意味する。
【００５３】
（３−３）メイン機能ボタン押下時の画面遷移例
次に、待機画面２においてメイン機能ボタンが押下された場合の画面遷移例について説明する。
【００５４】
（３−３−１）コピーボタン押下時
コピー機能に対する第１階層のコピーホーム画面としてコピーサブ機能一覧画面が設定されている場合、待機画面２においてコピーボタン４が押下されると、図３に示すように、コピーサブ機能一覧画面７０が表示される。
【００５５】
コピーサブ機能一覧画面７０には、コピー機能の各サブ機能に対応した複数のサブ機能ボタンと、設定変更ボタン７４と、スタートボタン７５とが表示される。図３では、複数のサブ機能ボタンとして、ＩＤコピーボタン７１と、標準コピーボタン７２と、両面コピーボタン７３とが表示されている。表示させるサブ機能ボタンの種類は、タッチパネル２３に対する左右方向のフリック操作などによって切り替えることができる。
【００５６】
コピーサブ機能一覧画面７０においては、３つのサブ機能ボタンのうち中央部に位置しているサブ機能ボタン（図３では標準コピーボタン７２）が、選択状態にある。よって、設定変更ボタン７４を押下することで、その選択状態にあるサブ機能に関する各種設定項目の設定値を変更することができる。また、スタートボタン７５を押下すると、その選択状態にあるサブ機能が実行される。図３の例では、標準コピーボタン７２が選択状態にあるため、スタートボタン７５を押下すると、標準コピーが実行（即ち現在設定されている標準コピーの設定内容に基づくコピーが実行）される。
【００５７】
コピーサブ機能一覧画面７０において、複数のサブ機能ボタンのうち何れかを押下すると、その押下したサブ機能ボタンに対応したサブ機能の設定画面が、第２階層の画面として表示される。図３に例示するように、例えば標準コピーボタン７２を押下すると、標準コピーに対応した設定画面である標準コピー設定画面７６が表示される。
【００５８】
標準コピー設定画面７６には、標準コピーにおける各設定項目の現在の設定値が表示されると共に、設定変更ボタン７７、コピーサブ機能一覧ボタン７８、及びスタートボタン７９が表示される。
【００５９】
ユーザは、標準コピー設定画面７６の表示内容によって、標準コピーの現在の設定状態を確認することができる。また、設定変更ボタン７７を押下することで、標準コピーの各設定項目の設定値を変更することができる。また、コピーサブ機能一覧ボタン７８を押下すると、コピーサブ機能一覧画面７０を表示させることができる。この場合の標準コピー設定画面７６からコピーサブ機能一覧画面７０への遷移は、第２階層から下位の階層への遷移ではなく、コピーサブ機能一覧画面７０が第１階層に設定されていることから、あくまでも、第２階層から第１階層への遷移である。
【００６０】
また、スタートボタン７５を押下すると、標準コピーが実行される。標準コピーの実行中は、図３に例示するように、コピー機能の実行中であることを示すコピー実行中画面８１が表示される。
【００６１】
一方、コピー機能に対する第１階層のコピーホーム画面として、コピー機能における複数のサブ機能のうち特定のサブ機能の設定画面が設定されている場合は、待機画面２においてコピーボタン４が押下されると、その設定されている特定のサブ機能の設定画面が表示される。図４は、第１階層のコピーホーム画面として標準コピー設定画面７６が設定されている例を示している。この例では、待機画面２においてコピーボタン４が押下されると、第１階層のコピーホーム画面としての、標準コピー設定画面７６が表示される。
【００６２】
この標準コピー設定画面７６は、図３の例における標準コピー設定画面７６と同じである（ただし階層は異なる）。そのため、スタートボタン７９を押下することで標準コピーを実行させることができる。また、コピーサブ機能一覧ボタン７８を押下することでコピーサブ機能一覧画面７０を表示させることができる。この場合の標準コピー設定画面７６からコピーサブ機能一覧画面７０への遷移は、第１階層から第２階層への遷移である。
【００６３】
（３−３−２）スキャンボタン押下時
スキャン機能に対する第１階層のスキャンホーム画面としてスキャンサブ機能一覧画面が設定されている場合、待機画面２においてスキャンボタン５が押下されると、図５に示すように、第１階層のスキャンホーム画面である、スキャンサブ機能一覧画面９０が表示される。
【００６４】
スキャンサブ機能一覧画面９０には、スキャン機能の各サブ機能に対応した複数のサブ機能ボタンが表示される。図５では、複数のサブ機能ボタンとして、スキャンｔｏＦＴＰボタン９１と、スキャンｔｏファイルボタン９２と、スキャンｔｏメディアボタン９３とが表示されている。表示させるサブ機能ボタンの種類は、タッチパネル２３に対する左右方向のフリック操作などによって切り替えることができる。
【００６５】
スキャンサブ機能一覧画面９０において、複数のサブ機能ボタンのうち何れかを押下すると、その押下したサブ機能ボタンに対応したサブ機能の設定画面が、第２階層の画面として表示される。図５に例示するように、例えばスキャンｔｏファイルボタン９２を押下すると、スキャンｔｏファイルに対応した設定画面であるスキャンｔｏファイル設定画面９６が表示される。
【００６６】
スキャンｔｏファイル設定画面９６には、スキャンｔｏファイルにおける各設定項目の現在の設定値が表示されると共に、設定変更ボタン９７、スキャンサブ機能切替ボタン９８、及びスタートボタン９９が表示される。
【００６７】
ユーザは、スキャンｔｏファイル設定画面９６の表示内容によって、スキャンｔｏファイルの現在の設定状態を確認することができる。また、設定変更ボタン９７を押下することで、スキャンｔｏファイルの各設定項目の設定値を変更することができる。また、スキャンサブ機能切替ボタン９８を押下すると、スキャンサブ機能一覧画面９０を表示させることができる。この場合のスキャンｔｏファイル設定画面９６からスキャンサブ機能一覧画面９０への遷移は、第２階層から下位の階層への遷移ではなく、スキャンサブ機能一覧画面９０が第１階層に設定されていることから、あくまでも、第２階層から第１階層への遷移である。
【００６８】
また、スタートボタン９９を押下すると、スキャンｔｏファイルが実行される。スキャンｔｏファイルの実行中は、図５に例示するように、スキャン機能の実行中であることを示すスキャン実行中画面８２が表示される。
【００６９】
一方、スキャン機能に対する第１階層のスキャンホーム画面として、スキャン機能における複数のサブ機能のうち特定のサブ機能の設定画面が設定されている場合は、待機画面２においてスキャンボタン５が押下されると、その設定されている特定のサブ機能の設定画面が表示される。図６は、第１階層のスキャンホーム画面としてスキャンｔｏファイル設定画面９６が設定されている例を示している。この例では、待機画面２においてスキャンボタン５が押下されると、スキャンホーム画面としての、スキャンｔｏファイル設定画面９６が表示される。
【００７０】
このスキャンｔｏファイル設定画面９６は、図５の例におけるスキャンｔｏファイル設定画面９６と同じである（ただし階層は異なる）。そのため、スタートボタン９９を押下することでスキャンｔｏファイルを実行させることができる。また、スキャンサブ機能切替ボタン９８を押下することでスキャンサブ機能一覧画面９０を表示させることができる。この場合のスキャンｔｏファイル設定画面９６からスキャンサブ機能一覧画面９０への遷移は、第１階層から第２階層への遷移である。
【００７１】
（３−４）バックキー押下時の画面遷移
次に、バックキー２２が押下されたときの画面遷移について、図７及び図８を用いて説明する。バックキー２２は、基本的には、現在表示されている画面を直前に表示されていた画面に戻すための押しボタンである。ただし、直前の画面に戻すことを基本としつつも、現在の画面の階層よりも１つ上の階層の画面に遷移させることが優先される。
【００７２】
そのため、現在の画面の階層が直前の画面の階層よりも下位階層であれば、バックキー２２を押下することで、１つ上の階層である直前の画面に戻すことができる。一方、現在の画面の階層が直前の画面の階層よりも上位階層であれば、バックキー２２を押下しても直前の画面には戻らず、現在の階層よりも１つ上の階層の画面に切り替わる。
【００７３】
スキャン機能におけるスキャンホーム画面（第１階層）としてスキャンサブ機能一覧画面９０が設定されている場合、図７に例示するように、待機画面２においてスキャンボタン５を押下すると、そのスキャンホーム画面である、スキャンサブ機能一覧画面９０が表示される。このスキャンサブ機能一覧画面９０が表示されている状態で、バックキー２２を押下すると、１つ上の階層の画面であって且つ直前の画面でもある待機画面２に戻る。
【００７４】
待機画面２からスキャンサブ機能一覧画面９０への遷移後、複数のサブ機能ボタンのうち例えばスキャンｔｏファイルボタン９２を押下すると、第２階層の画面としての、スキャンｔｏファイル設定画面９６が表示される。
【００７５】
このスキャンｔｏファイル設定画面９６が表示されている状態で、バックキー２２を押下すると、１つ上の階層の画面であって且つ直前の画面でもあるスキャンサブ機能一覧画面９０に戻る。
【００７６】
また、スキャンｔｏファイル設定画面９６において、スキャンサブ機能切替ボタン９８を押下することによっても、スキャンサブ機能一覧画面９０に遷移させることができる。このスキャンサブ機能一覧画面９０への遷移は、既述の通り、下位の階層への遷移ではなくあくまでも第１階層への遷移である。そのため、スキャンサブ機能一覧画面９０への遷移後、バックキー２２を押下すると、直前のスキャンｔｏファイル設定画面９６には戻らず、あくまでも、１つ上の階層の画面である、待機画面２に戻る。
【００７７】
一方、スキャン機能におけるスキャンホーム画面（第１階層）の画面として例えばスキャンｔｏファイル設定画面９６が設定されている場合、図８に例示するように、待機画面２においてスキャンボタン５を押下すると、そのスキャンホーム画面である、スキャンｔｏファイル設定画面９６が表示される。このスキャンｔｏファイル設定画面９６が表示されている状態で、バックキー２２を押下すると、１つ上の階層の画面であって且つ直前の画面でもある待機画面２に戻る。
【００７８】
待機画面２からスキャンｔｏファイル設定画面９６への遷移後、スキャンサブ機能切替ボタン９８を押下すると、第２階層の画面としての、スキャンサブ機能一覧画面９０が表示される。
【００７９】
このスキャンサブ機能一覧画面９０が表示されている状態で、バックキー２２を押下すると、１つ上の階層の画面であって且つ直前の画面でもあるスキャンｔｏファイル設定画面９６に戻る。一方、このスキャンサブ機能一覧画面９０において、複数のサブ機能ボタンのうち例えばスキャンｔｏメディアボタン９３を押下すると、スキャンｔｏメディア設定画面１００が表示される。
【００８０】
ここで、スキャンホーム画面がスキャンｔｏファイル設定画面９６に設定されているということは、既述の通り、スキャンｔｏファイル設定画面９６を含む、スキャン機能における全てのサブ機能の設定画面が、第１階層として位置づけられている。よって、スキャンｔｏメディア設定画面１００も、スキャンホーム画面ではないものの、スキャンｔｏファイル設定画面９６と同じく、第１階層の画面として位置づけられている。
【００８１】
よって、スキャンサブ機能一覧画面９０（第２階層）からスキャンｔｏメディア設定画面１００（第１階層）への遷移後、バックキー２２を押下すると、直前のスキャンｔｏファイル設定画面９６には戻らず、１つ上の階層の画面である待機画面２に遷移する。
【００８２】
図７，図８では、バックキー２２が押下された場合の画面遷移について、スキャン機能を例に挙げて説明したが、コピー機能やその他のメイン機能の場合も同様の画面遷移が行われる。
【００８３】
（４）機能ホーム画面設定処理
次に、図２を用いて説明した機能ホーム画面の設定を実現するために複合機１０のＣＰＵ１１が実行する、機能ホーム画面設定処理について、図９を用いて説明する。複合機１０のＣＰＵ１１は、設定一覧画面４０において初期画面設定ボタン４２が押下されると、ＮＶＲＡＭ１４又はＲＯＭ１２から図９の機能ホーム画面設定処理のプログラムを読み込んで実行する。
【００８４】
複合機１０のＣＰＵ１１は、図９の機能ホーム画面設定処理を開始すると、Ｓ１１０で、ディスプレイ２４に設定対象選択画面４５（図２）を表示させる。Ｓ１２０では、設定対象選択画面４５においてコピー設定ボタン４６が押下されたか否か判断する。コピー設定ボタン４６が押下された場合は（Ｓ１２０：ＹＥＳ）、Ｓ１３０で、コピーホーム選択画面５０（図２）をディスプレイ２４に表示させる。
【００８５】
Ｓ１４０では、コピーホーム選択画面５０において、コピーホーム画面の選択用に列挙された複数のボタンのうち何れかが押下されたか否か判断する。何れかのボタンが押下されるまではＳ１４０の判断を繰り返す。なお、バックキー２２が押下された場合は設定対象選択画面４５に戻るが、その処理については図９では省略している。
【００８６】
コピーホーム選択画面５０においてコピーホーム画面選択用の何れかのボタンが押下された場合は（Ｓ１４０：ＹＥＳ）、Ｓ１５０に進む。Ｓ１５０では、押下されたボタンに対応した画面を、コピー機能における第１階層のコピーホーム画面に設定する。
【００８７】
Ｓ１２０で、コピー設定ボタン４６が押下されない場合は（Ｓ１２０：ＮＯ）、Ｓ１６０で、設定対象選択画面４５においてスキャン設定ボタン４７が押下されたか否か判断する。スキャン設定ボタン４７が押下されない場合は（Ｓ１６０：ＮＯ）、Ｓ１２０に戻る。スキャン設定ボタン４７が押下された場合は（Ｓ１６０：ＹＥＳ）、Ｓ１７０で、スキャンホーム選択画面６０（図２）をディスプレイ２４に表示させる。
【００８８】
Ｓ１８０では、スキャンホーム選択画面６０において、スキャンホーム画面の選択用に列挙された複数のボタンのうち何れかが押下されたか否か判断する。何れかのボタンが押下されるまではＳ１８０の判断を繰り返す。何れかのボタンが押下された場合は（Ｓ１８０：ＹＥＳ）、Ｓ１９０に進む。Ｓ１９０では、押下されたボタンに対応した画面を、スキャン機能における第１階層のスキャンホーム画面に設定する。
【００８９】
（５）機能実行処理
次に、複合機１０のＣＰＵ１１が実行する機能実行処理について、図１０〜図１１を用いて説明する。この機能実行処理は、図３〜図８を用いて説明した各種の画面遷移を実現するための処理が含まれている。図１０〜図１１では、機能実行処理全体のうち主に画面遷移のための処理について具体的に説明し、画面遷移以外の他の処理については図示及び説明を省略する。
【００９０】
複合機１０のＣＰＵ１１は、起動すると、ＮＶＲＡＭ１４又はＲＯＭ１２から図１０〜図１１に示す機能実行処理のプログラムを読み込んで実行する。複合機１０のＣＰＵ１１は、図１０〜図１１の機能実行処理を開始すると、Ｓ２１０で、待機画面２（図３等）をディスプレイ２４に表示させる。
【００９１】
Ｓ２２０では、待機画面２においてコピーボタン４又はスキャンボタン５が押下されたか否か判断する。コピーボタン４及びスキャンボタン５の何れも押下されない場合は（Ｓ２２０：ＮＯ）、Ｓ２３０で他の処理（他のユーザ操作等に応じた処理）を実行して、Ｓ２１０に戻る。
【００９２】
なお、Ｓ２３０の処理には、待機画面２においてメニューボタン６が押下された場合の処理も含まれる。即ち、待機画面２においてメニューボタン６が押下された場合、Ｓ２３０では、設定一覧画面４０（図２）を表示させる。そして、その設定一覧画面４０において初期画面設定ボタン４２が押下された場合は、設定対象選択画面４５（図２）を表示させる。さらに、設定対象選択画面４５を表示させた場合は、図９の機能ホーム画面設定処理を実行する。
【００９３】
待機画面２においてコピーボタン４又はスキャンボタン５が押下された場合は（Ｓ２２０：ＹＥＳ）、押下された機能ボタンに対応した機能を処理対象に設定して、Ｓ２４０移行の処理に進む。例えばコピーボタン４が押下された場合はコピー機能を処理対象に設定し、スキャンボタン５が押下された場合はスキャン機能を処理対象に設定する。
【００９４】
Ｓ２４０では、機能ホーム画面としてサブ機能一覧画面及び特定のサブ機能の設定画面のどちらが設定されているか判断する。このＳ２４０の処理は、処理対象として例えばコピー機能が設定されている場合は、コピーホーム画面としてコピーサブ機能一覧画面及びコピー機能における特定のサブ機能の設定画面のうちどれが設定されているかを判断する処理となる。
【００９５】
機能ホーム画面としてサブ機能一覧画面が設定されている場合は、Ｓ２５０に進む。ｓ２５０では、第１階層の機能ホーム画面としての、サブ機能一覧画面を表示させる。処理対象として例えばコピー機能が設定されている場合は、Ｓ２５０では、コピーサブ機能一覧画面７０（図３）が表示されることになる。
【００９６】
Ｓ２６０では、バックキー２２が押下されたか否か判断する。バックキー２２が押下された場合は（Ｓ２６０：ＹＥＳ）、Ｓ２１０に戻る。つまりこの場合は、待機画面２に画面が遷移することになる。バックキー２２が押下されていない場合は（Ｓ２６０：ＮＯ）、Ｓ２７０で、何れかのサブ機能が選択されたか否か（即ち左右方向に列挙されている複数のサブ機能ボタンのうち何れかが押下されたか否か）判断する。
【００９７】
何れのサブ機能も選択されない場合は（Ｓ２７０：ＮＯ）、Ｓ２８０で、スタートボタンが押下されたか否か判断する。スタートボタンが押下されない場合は（Ｓ２８０：ＮＯ）、Ｓ２７０に戻る。スタートボタンが押下された場合は（Ｓ２８０：ＹＥＳ）、Ｓ２９０で、デフォルト選択されているサブ機能、即ちサブ機能一覧画面において選択状態にあるサブ機能が実行される。処理対象として例えばコピー機能が設定されている場合は、Ｓ２９０では、コピーサブ機能一覧画面７０において選択状態にあるサブ機能（図３の例では標準コピー）が実行される。Ｓ２９０による機能実行後は、Ｓ２５０に戻る。
【００９８】
Ｓ２７０で、何れかのサブ機能が選択された場合は（Ｓ２７０：ＹＥＳ）、Ｓ３００で、第２階層の画面として、選択されたサブ機能の設定画面を表示させる。処理対象として例えばコピー機能が設定されていてコピーサブ機能一覧画面７０において例えば標準コピーボタン７２が押下された場合は、Ｓ３００では、標準コピー設定画面７６（図３）が表示される。
【００９９】
Ｓ３１０では、バックキー２２が押下されたか否か判断する。バックキーが押下された場合は（Ｓ３１０：ＹＥＳ）、Ｓ２５０に戻る。つまりこの場合は、１つ上の第１階層の画面であって且つ直前に表示されていた画面でもあるサブ機能一覧画面に画面が遷移することになる。
【０１００】
Ｓ３１０でバックキーが押下されていない場合は（Ｓ３１０：ＮＯ）、Ｓ３２０で、サブ機能一覧ボタンが押下されたか否か判断する。処理対象として例えばコピー機能が設定されている場合は、Ｓ３２０では、コピーサブ機能一覧ボタン７８が押下されたか否かが判断される。
【０１０１】
サブ機能一覧ボタンが押下された場合は（Ｓ３２０：ＹＥＳ）、Ｓ２５０に戻る。つまりこの場合、第１階層の画面であるサブ機能一覧画面に遷移する。サブ機能一覧ボタンが押下されない場合は（Ｓ３２０：ＮＯ）、Ｓ３３０で、スタートボタンが押下されたか否か判断する。スタートボタンが押下されない場合は（Ｓ３３０：ＮＯ）、Ｓ３１０に戻る。スタートボタンが押下された場合は（Ｓ３３０：ＹＥＳ）、Ｓ３４０で、現在選択されているサブ機能を実行する。機能実行後は、Ｓ３００に戻り、機能実行前に表示されていたサブ機能の設定画面を再び表示させる。
【０１０２】
Ｓ２４０で、機能ホーム画面として特定のサブ機能の設定画面が設定されている場合は、Ｓ４１０（図１１）に進む。Ｓ４１０では、第１階層の機能ホーム画面として設定されているサブ機能の設定画面を表示させる。処理対象として例えばコピー機能が設定されていてコピーホーム画面として例えば標準コピー設定画面７６が設定されている場合は、図４に例示したように標準コピー設定画面７６が表示されることになる。
【０１０３】
Ｓ４２０では、バックキー２２が押下されたか否か判断する。バックキーが押下された場合は（Ｓ４２０：ＹＥＳ）、Ｓ２１０に戻る。つまりこの場合は、待機画面２に画面が遷移することになる。
【０１０４】
Ｓ４２０でバックキーが押下されていない場合は（Ｓ４２０：ＮＯ）、Ｓ４３０で、サブ機能一覧ボタンが押下されたか否か判断する。サブ機能一覧ボタンが押下されない場合は（Ｓ４３０：ＮＯ）、Ｓ４４０で、スタートボタンが押下されたか否か判断する。スタートボタンが押下されない場合は（Ｓ４４０：ＮＯ）、Ｓ４２０に戻る。スタートボタンが押下された場合は（Ｓ４４０：ＹＥＳ）、Ｓ４５０で、現在選択されているサブ機能を実行する。機能実行後は、Ｓ４１０に戻り、機能実行前に表示されていたサブ機能の設定画面を再び表示させる。
【０１０５】
Ｓ４３０で、サブ機能一覧ボタンが押下された場合は（Ｓ４３０：ＹＥＳ）、Ｓ４６０で、第２階層の画面として、サブ機能一覧画面を表示させる。Ｓ４７０では、バックキー２２が押下されたか否か判断する。バックキー２２が押下された場合は（Ｓ４７０：ＹＥＳ）、Ｓ４１０に戻る。つまりこの場合は、１つ上の第１階層の画面に遷移する。またこの場合は、直前の画面が第１階層の画面であったことから、直前の画面に遷移する。例えば標準コピー設定画面７６（第１階層）においてコピーサブ機能一覧ボタン７８を押下したことによりコピーサブ機能一覧画面７０（第２階層）が表示されている状態で、バックキー２２を押下した場合は、第１階層の位置付けの画面である各サブ機能の設定画面のうち直前に表示されていた標準コピー設定画面７６に再び戻ることになる。
【０１０６】
Ｓ４７０で、バックキー２２が押下されていない場合は（Ｓ４７０：ＮＯ）、Ｓ４８０で、何れかのサブ機能が選択されたか否か判断する。何れのサブ機能も選択されない場合は（Ｓ４８０：ＮＯ）、Ｓ４９０で、スタートボタンが押下されたか否か判断する。スタートボタンが押下されない場合は（Ｓ４９０：ＮＯ）、Ｓ４８０に戻る。スタートボタンが押下された場合は（Ｓ４９０：ＹＥＳ）、Ｓ５００で、デフォルト選択されているサブ機能、即ちサブ機能一覧画面において選択状態にあるサブ機能が実行される。Ｓ５００による機能実行後は、Ｓ４６０に戻る。
【０１０７】
Ｓ４８０で、何れかのサブ機能が選択された場合は（Ｓ４８０：ＹＥＳ）、Ｓ５１０で、選択されたサブ機能の設定画面を表示させる。この場合、サブ機能の設定画面がサブ機能ホーム画面（第１階層）に設定されていることから、第２階層から第１階層への画面遷移となる。
【０１０８】
Ｓ５２０では、バックキー２２が押下されたか否か判断する。バックキーが押下された場合は（Ｓ５２０：ＹＥＳ）、Ｓ２１０に戻る。つまりこの場合は、現在の第１階層よりも上の最上位階層の画面である待機画面２に遷移することになる。
【０１０９】
Ｓ５２０でバックキーが押下されていない場合は（Ｓ５２０：ＮＯ）、Ｓ５３０で、サブ機能一覧ボタンが押下されたか否か判断する。サブ機能一覧ボタンが押下された場合は（Ｓ５３０：ＹＥＳ）、Ｓ４６０に戻る。この場合は、１つ下の第２階層の画面であるサブ機能一覧画面に遷移することになる。サブ機能一覧ボタンが押下されない場合は（Ｓ５３０：ＮＯ）、Ｓ５４０で、スタートボタンが押下されたか否か判断する。スタートボタンが押下されない場合は（Ｓ５４０：ＮＯ）、Ｓ５２０に戻る。スタートボタンが押下された場合は（Ｓ５４０：ＹＥＳ）、Ｓ５５０で、現在選択されているサブ機能を実行する。機能実行後は、Ｓ５１０に戻り、機能実行前に表示されていたサブ機能の設定画面を再び表示させる。
【０１１０】
（６）実施形態の効果
以上説明した本実施形態の複合機１０によれば、待機画面２においてメイン機能が選択された場合に表示させるべき第１階層の機能ホーム画面として、サブ機能一覧画面及び各サブ機能毎の設定画面の何れかを予め設定可能である。そして、待機画面２においてメイン機能が選択された場合は、そのメイン機能に対して第１階層の機能ホーム画面として設定されている画面が表示される。例えばコピー機能に対して、機能ホーム画面としてコピーサブ機能一覧画面７０を設定しておけば、待機画面２においてコピーボタン４を押下した場合にコピーサブ機能一覧画面７０を表示させることができる。一方、コピー機能に対する機能ホーム画面として例えば特定のサブ機能の１つである標準コピー設定画面７６を設定しておけば、待機画面２においてコピーボタン４を押下した場合に標準コピー設定画面７６を表示させることができる。
【０１１１】
そのため、例えば、コピー機能において使用する頻度の高いコピーサブ機能が決まっている場合は、そのコピーサブ機能の設定画面を第１階層のコピーホーム画面に設定しておくことで、コピーサブ機能一覧画面７０を経ることなく、そのコピーサブ機能を迅速に実行させることができる。
【０１１２】
したがって、本実施形態の複合機１０によれば、待機画面２においてメイン機能が選択された場合にユーザの利用傾向に応じた適切な画面に遷移させることができ、ユーザの使い勝手を向上させることができる。
【０１１３】
サブ機能毎の設定画面には、スタートボタンが含まれている。例えば標準コピー設定画面７６にはスタートボタン７９が表示され、スキャンｔｏファイル設定画面９６にもスタートボタン９９が表示される。そのため、サブ機能の設定画面が表示されている状態から、その表示されているサブ機能を実行させることができる。そのため、第１階層の機能ホーム画面として特定のサブ機能の設定画面を設定しておけば、その特定のサブ機能を少ない手順で迅速に実行させることができる。
【０１１４】
第１階層の機能ホーム画面の設定は、設定対象選択画面４５（図２）を経て特定のメイン機能に対応した機能ホーム選択画面を表示させることで、その機能ホーム選択画面から設定することができる。例えばコピー機能に対応した機能ホーム選択画面は、図２に例示したコピーホーム選択画面５０であり、例えばスキャン機能に対応した機能ホーム選択画面は、図２に例示したスキャンホーム選択画面６０である。
【０１１５】
そして、機能ホーム選択画面には、機能ホーム画面に設定することが可能な各種画面に対応したボタンが列挙されており、その中から何れかを押下することで、第１階層の機能ホーム画面を設定することができる。そのため、第１階層の機能ホーム画面を確実且つ容易に設定することができる。
【０１１６】
しかも、設定対象選択画面４５は、待機画面２から２回のボタン操作を経て表示させることができる。即ち、図２に示したように、待機画面２から設定一覧画面４０に遷移させ、その設定一覧画面４０に表示されている初期画面設定ボタン４２を押下することで、設定対象選択画面４５に遷移させることができる。階層的には、待機画面２の２つ下の階層として設定対象選択画面４５が設定されているとみなせる。そのため、設定対象選択画面４５を迅速に表示させることができ、ひいては、機能ホーム画面の設定を迅速に行うことができる。
【０１１７】
また、本実施形態では、第１階層の画面としてサブ機能一覧画面が表示されている場合は、各サブ機能毎の設定画面は、サブ機能一覧画面の１つ下の第２階層の画面として位置づけられる。したがって、第１階層の画面（機能ホーム画面）としてサブ機能一覧画面を設定しておけば、ユーザは、まずサブ機能一覧画面で実行させたいサブ機能を適切に選択することができる。そして、選択したサブ機能の具体的設定内容を１つ下の階層の設定画面で確認することができる。
【０１１８】
一方、第１階層の画面として特定のサブ機能の設定画面が設定されている場合は、サブ機能一覧画面は第２階層の画面として位置づけられ、サブ機能の設定画面からサブ機能一覧画面に遷移させることができる。そのため、特定のサブ機能の設定画面からサブ機能一覧画面に遷移させることで、実行させるべきサブ機能を切り替え、その切り替え後のサブ機能に対応した設定画面を表示させることができる。
【０１１９】
また、本実施形態の複合機１０では、バックキー２２を押下することで、ディスプレイ２４に表示される画面を、現在の画面の階層よりも１つ上の階層の画面に戻すことができる。即ち、バックキー２２は、基本的には、直前に表示されていた画面に戻すためのキーであるが、直前に表示されていた画面に戻すことよりも、現在表示されている画面の階層よりも１つ上の階層の画面に遷移させることが優先される。そのため、例えば第１階層の画面から第２階層の画面に遷移してきた状態でバックキー２２を押下すれば、直前の第１階層の画面に戻る。一方、例えば第２階層の画面から第１階層の画面に遷移してきた状態でバックキー２２を押下した場合は、直前の第２階層の画面には戻らず、あくまでも、現在の階層よりも上位の階層の画面に遷移する。現在の階層が第１階層の場合は、その上の階層の画面である待機画面２に遷移することになる。
【０１２０】
このように、画面遷移の過程や直前に表示されていた画面の内容にかかわらず、バックキー２２の押下に対しては現在の画面の階層よりも１つ上の階層の画面に戻すことが優先されることで、画面の遷移状態を認識しやすくなる。
【０１２１】
なお、本実施形態において、ディスプレイ２４は本発明の表示部の一例に相当する。複合機１０のＲＯＭ１２及びＮＶＲＡＭ１４の少なくとも一方は本発明の記憶部の一例に相当する。複合機１０のＣＰＵ１１は本発明の制御部の一例に相当する。印刷部１６は本発明の画像形成部の一例に相当する。Ｓ１５０及びＳ１９０の処理は本発明の第１階層設定処理の一例に相当する。Ｓ２１０の処理は本発明の機能表示処理の一例に相当する。
【０１２２】
また、Ｓ２２０の処理は本発明の機能選択処理の一例に相当する。Ｓ２５０及びＳ４１０の処理は本発明の第１の表示処理の一例に相当する。Ｓ３３０，Ｓ４４０，及びＳ５４０の処理は本発明の実行選択処理の一例に相当する。Ｓ３４０，Ｓ４５０，及びＳ５５０の処理は本発明の機能実行処理の一例に相当する。Ｓ１３０及びＳ１７０の処理は本発明の選択表示処理の一例に相当する。Ｓ１４０及びＳ１８０の処理は本発明の第１階層入力処理の一例に相当する。Ｓ２３０の処理は本発明の設定画像選択処理、メニュー一覧表示処理、及び設定メニュー選択処理の一例に相当する。Ｓ２７０及びＳ４８０の処理は本発明の機能項目選択処理の一例に相当する。Ｓ３００及びＳ４６０の処理は本発明の第２の表示処理の一例に相当する。Ｓ４３０及びＳ５３０の処理は本発明の一覧切替選択処理の一例に相当する。Ｓ５１０の処理は本発明の第３の表示処理の一例に相当する。Ｓ２６０，Ｓ３１０，Ｓ４２０，Ｓ４７０，Ｓ５２０の処理は本発明の戻し操作受付処理の一例に相当する。バックキー２２の押下を契機として実行されるＳ２１０，Ｓ２５０，Ｓ４１０の処理は本発明の画面戻し処理の一例に相当する。
【０１２３】
［他の実施形態］
以上、本発明の実施形態について説明したが、本発明は上記実施形態に限定されることなく、種々の形態を採り得る。
【０１２４】
（１）上記実施形態では、図２に示したように、設定対象選択画面４５を表示させるための初期画面設定ボタン４２が設定一覧画面４０に表示される構成であったが、初期画面設定ボタン４２は、待機画面２或いはその他の画面に表示させてもよい。初期画面設定ボタン４２を待機画面２に表示させられれば、待機画面２からすぐに設定対象選択画面４５に遷移させることができ、機能ホーム画面の設定をより迅速に行うことができる。
【０１２５】
（２）上記実施形態では、各種メイン機能のうちコピー機能及びスキャン機能を例に挙げて、機能ホーム画面の設定方法や画面遷移例などを説明したが、コピー機能及びスキャン機能以外の他のメイン機能においても、コピー機能及びスキャン機能と同様に、機能ホーム画面を設定することができ、その設定内容に応じた画面遷移を実現させることができる。
【０１２６】
（３）上記実施形態で示した、各画面における各ボタンの種類や形状、配列方法などは、あくまでも一例であり、他の種類や形状、配列方法などを採用してもよい。また、上記実施形態では、コピー機能に対する複数のサブ機能として、標準コピーやＩＤコピーなどの複数のサブ機能を具体的に列挙し、スキャン機能に対する複数のサブ機能としても、スキャンｔｏファイルやスキャンｔｏメディアなどの複数のサブ機能を具体的に列挙したが、これら各サブ機能もあくまでも一例であり、他の各種のサブ機能を備えていてもよい。
【０１２７】
（４）本発明の適用は、複合機１０への適用に限定されない。本発明は、複数のメイン機能を備え、メイン機能毎に複数のサブ機能を備えているような、あらゆる種類の機能実行装置に対して適用可能である。
【０１２８】
（５）その他、上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【０１２９】
１…画像処理システム、２…待機画面、３…ファクスボタン、４…コピーボタン、５…スキャンボタン、６…メニューボタン、１０…複合機、１１，３１…ＣＰＵ、１２，３２…ＲＯＭ、１３，３３…ＲＡＭ、１４…ＮＶＲＡＭ、１５…画像読取部、１６…印刷部、１７，３５…操作部、１８，３６…表示部、１９，３７…ネットワークＩ／Ｆ、２０…ＵＳＢＩ／Ｆ、２１…回線接続部、２２…バックキー、２３…タッチパネル、２４…ディスプレイ、３０…ＰＣ、３４…ＨＤＤ、４０…設定一覧画面、４１…全般ボタン、４２…初期画面設定ボタン、４５…設定対象選択画面、４６…コピー設定ボタン、４７…スキャン設定ボタン、５０…コピーホーム選択画面、５１…コピーサブ機能一覧ボタン、５２…標準コピーボタン、５３…片面→両面コピーボタン、５４…ＩＤコピーボタン、６０…スキャンホーム選択画面、６１…スキャンサブ機能一覧ボタン、６２…ＯＣＲボタン、６３…ファイルボタン、６４…メディアボタン、７０…コピーサブ機能一覧画面、７１…ＩＤコピーボタン、７２…標準コピーボタン、７３…両面コピーボタン、７４…設定変更ボタン、７５，７９，９９…スタートボタン、７６…標準コピー設定画面、７７，９７…設定変更ボタン、７８…コピーサブ機能一覧ボタン、８１…コピー実行中画面、８２…スキャン実行中画面、９０…スキャンサブ機能一覧画面、９１…ＦＴＰボタン、９２…ファイルボタン、９３…メディアボタン、９６…ファイル設定画面、９８…スキャンサブ機能切替ボタン、１００…メディア設定画面、２００…ＬＡＮ、３００…インターネット、３１０…サーバ、４００…ＦＴＰサーバ。
【図１】
0006600961.tif 000002
【図２】
0006600961.tif 000003
【図３】
0006600961.tif 000004
【図４】
0006600961.tif 000005
【図５】
0006600961.tif 000006
【図６】
0006600961.tif 000007
【図７】
0006600961.tif 000008
【図８】
0006600961.tif 000009
【図９】
0006600961.tif 000010
【図１０】
0006600961.tif 000011
【図１１】
0006600961.tif 000012